(57)【特許請求の範囲】
【請求項１】
下水道管渠（１）の損傷箇所（２）を所定長だけ切除したのち、該切除箇所に、前記所定長と同一長さで、前記下水道管渠（１）と同仕様の新規な下水道管渠（１’）を嵌入し、該新規な下水道管渠（１’）と前記下水道管渠（１）との当接部（８，８）に、幅の狭い加熱収縮チュ−ブ（９，９）を、一部を前記下水道管渠（１）に掛け、他の一部を前記新規な下水道管渠（１’）に掛けて、加熱収縮させ、さらに加熱収縮させた幅の狭い加熱収縮チュ−ブ（９，９）の上に加熱融着性防水テ−プ（５）を巻き付けたのち、該加熱融着性防水テ−プ（５）の巻き付け層を覆い、かつ一部を前記下水道管渠（１）に掛け、他の一部を前記新規な下水道管渠（１’）に掛かかるように、幅の広い加熱収縮チュ−ブ（９’，９’）をセットし、該幅の広い加熱収縮チュ−ブ（９’，９’）の全体を加熱収縮させることにより、前記加熱融着性防水テ−プ（５）の巻き付け層を融着させるとともに、該幅の広い加熱収縮チュ−ブ（９’，９’）を、前記下水道管渠（１）と前記新規な下水道管渠（１’）の表面に密着させることを特徴とする下水道管渠損傷個所の補修工法。
【発明の詳細な説明】
【０００１】
【発明の属する技術分野】
この発明は、下水道管渠損傷個所の補修工法に関するものである。
【０００２】
【従来の技術】
従来、下水道管渠の損傷箇所の補修には、下水道管渠の内部から損傷箇所に補修部材を補填する等の方法が知られている（例えば、特許文献１，２参照）。
この方法は、掘削が不要になるので、有利な面もあるが、下水道管渠は、下水が常に充満し、外に向かって水圧が働いている状態ではないので、下水道管渠の損傷部からの地下水等の管渠内への流入があり、この場合、地下水等の水圧は外から管渠内に向かって、働くので、管渠内部からの補修では、補修部が剥離するという不具合が生じる。
【０００３】
また、掘削して下水道管渠の損傷箇所を補修する際に、損傷箇所を含んだ下水道管渠の一本分を取り除き、新品に取り換えるという工法で行われる場合には、掘削長が長くなり時間がかかるとともに、工事費が嵩むという問題点があった。
【０００４】
【特許文献１】
特開平８−２３２３３３号公報
【特許文献２】
特開平１０−２９２１６８号公報
【０００５】
【発明が解決しようとする課題】
この発明は、従来の技術で記述した不具合や問題点を解消するためになされたもので、下水道管渠の損傷箇所の止水補修を局部的に、かつ画一的な手法で補修することが可能な下水道管渠損傷個所の補修工法の提供を目的とするものである。
【０００６】
【課題を解決するための手段】
この発明の下水道管渠損傷個所の補修工法は、下水道管渠の損傷箇所を所定長だけ切除したのち、該切除箇所に、前記所定長と同一長さで、前記下水道管渠と同仕様の新規な下水道管渠を嵌入し、該新規な下水道管渠と前記下水道管渠との当接部に、幅の狭い加熱収縮チュ−ブを、一部を前記下水道管渠に掛け、他の一部を前記新規な下水道管渠に掛けて、加熱収縮させ、さらに加熱収縮させた幅の狭い加熱収縮チュ−ブの上に加熱融着性防水テ−プを巻き付けたのち、該加熱融着性防水テ−プの巻き付け層を覆い、かつ一部を前記下水道管渠に掛け、他の一部を前記新規な下水道管渠に掛かかるように、幅の広い加熱収縮チュ−ブをセットし、該幅の広い加熱収縮チュ−ブの全体を加熱収縮させることにより、前記加熱融着性防水テ−プの巻き付け層を融着させるとともに、該幅の広い加熱収縮チュ−ブを、前記下水道管渠と前記新規な下水道管渠の表面に密着させることを特徴とするものである。
【０００７】
【発明の実施の形態】
この発明の実施の形態の一例を図面を参照しながら説明する。まず、図１に示すように、下水道管渠１の損傷箇所２の上に、補修用パッチシ−ト３のホットメルト層４を内側にして当てがい、パッチシ−ト３を、バ−ナ等で加熱して、ホットメルト層４を溶融させて、パッチシ−ト３を損傷箇所２部の下水道管渠１の表面に貼付する。
【０００８】
なお、補修用パッチシ−ト３は、図２に示すように、架橋ポリエチレン等のプラスチックシ−トからなる外層ａと合成ゴム系粘着材等からなるホットメルト層４の内層ｂとからなる積層構造になっている。
【０００９】
ついで、パッチシ−ト３の四辺に、一部をパッチシ−ト３に掛け、他の一部を下水道管渠１に掛けるようにして、アクリル系又は合成ゴム系粘着材からなる加熱融着性防水粘着テ−プ５を当てがい、加熱融着性防水粘着テ−プ５をバ−ナ等で加熱して、加熱融着性防水粘着テ−プ５を、パッチシ−ト３と下水道管渠１の表面に貼付する。なお、この工法は損傷が軽微な場合に適用できる。
【００１０】
次に、図３に示すように、ジッパ−付き加熱収縮チュ−ブ６のジッパ−７を外し、一旦ジッパ−付き加熱収縮チュ−ブ６を平坦なシ−ト状にしたのち、下水道管渠１の損傷箇所２に当てがい、損傷箇所２を包むように丸め、ジッパ−７を掛け、再度チュ−ブ状にしたのち、加熱収縮させ、ジッパ−付き加熱収縮チュ−ブ６を、下水道管渠１の表面に密着させる。
【００１１】
なお、ジッパ−付き加熱収縮チュ−ブ６は、図４に示すように、メモリ−性を有する架橋ポリエチレン等からなる外層ａと合成ゴム系粘着材等からなる内層ｂとからなる積層構造のシ−トの対向する両縁部を結合させチュ−ブ状に成型できるようにジッパ−７が取り付けられた構成になっており、外層ａを加熱することにより内層ｂを溶融させることができるようになっている。
【００１２】
ついで、ジッパ−７の上に、加熱融着性防水テ−プ５を当てがい、加熱融着性防水粘着テ−プ５を加熱して、加熱融着性防水粘着テ−プ５をジッパ−７に貼付し、ジッパ−７の隙間を密封する。なお、この工法は損傷が中程度の場合に適用できる。
【００１３】
次に、図５に示すように、下水道管渠１の損傷箇所２を所定長だけ切除したのち、切除箇所に、所定長と同一長さで、下水道管渠１と同仕様の新規な下水道管渠１’を嵌入する。
【００１４】
ついで、新規な下水道管渠１’と下水道管渠１との当接部８，８に、幅の狭い加熱収縮チュ−ブ９，９を、一部を下水道管渠１に掛け、他の一部を新規な下水道管渠１’に掛けて、加熱収縮させ、さらに加熱収縮させた幅の狭い加熱収縮チュ−ブ９，９の上に加熱融着性防水テ−プ５を巻き付ける。
【００１５】
さらに加熱収縮させた幅の狭い加熱収縮チュ−ブ９，９の上に加熱融着性防水テ−プ５を巻き付けたのち、加熱融着性防水テ−プ５の巻き付け層を覆い、かつ一部を前記下水道管渠１に掛け、他の一部を新規な下水道管渠１’に掛かかるように、幅の広い加熱収縮チュ−ブ９’，９’をセットし、幅の広い加熱収縮チュ−ブ９’，９’の全体を加熱収縮させることにより、加熱融着性防水テ−プ５の巻き付け層を融着させるとともに、幅の広い加熱収縮チュ−ブ９’，９’を、下水道管渠１と新規な下水道管渠１’の表面に密着させる。
【００１６】
なお、幅の狭い加熱収縮チュ−ブ９，９及び幅の広い加熱収縮チュ−ブ９’，９’は、図６に示すように、メモリ−性を有する架橋ポリエチレン等からなる外層ａと合成ゴム系粘着材等からなる内層ｂとからなる積層構造のチュ−ブで、外層ａを加熱することにより内層ｂを溶融させることができるようになっている。
【００１７】
なお、幅の狭い加熱収縮チュ−ブ９，９及び幅の広い加熱収縮チュ−ブ９’，９’は、損傷箇所２を切除したのち、予め左右の下水道管渠１に挿通し、作業の邪魔にならない位置に待機させておくのである。
【００１８】
新規な下水道管渠１’と下水道管渠１との当接部８，８に、幅の広い加熱収縮チュ−ブ９’，９’を加熱収縮させた場合には、当接部８，８において、当接部８，８にずれを生じているかどうか等の接合状態の良否を確認しにくので、最初に、幅の狭い加熱収縮チュ−ブ９，９を当接部８，８に加熱収縮させ、接合状態が良好であることを確認して、幅の広い加熱収縮チュ−ブ９’，９’を加熱収縮させるようにしている。なお、この工法は損傷が大きい場合に適用できる。なお、図１、図５において、１０はビニル粘着テ−プである。
【００１９】
【発明の効果】
この発明は以上のように構成されているので、次のような効果を呈する。
▲１▼損傷箇所を外部から補修しているので、地下水等の下水道管渠中への流入を確実に防止できる。
▲２▼損傷が軽い場合には、損傷箇所の局部的補修だけでよいので、作業時間を短縮できる。
▲３▼補修作業は、プレハブ化された補修部材の巻き付け、貼り付け及び加熱収縮という単純作業だけでよいので、画一的に処理できるため、熟練を要しない。
【図面の簡単な説明】
【図１】  発明の実施の一例を示す一部切欠斜視図
【図２】  補修用パッチシ−トの一例を示す概略斜視図
【図３】  発明の実施の一例を示す一部切欠斜視図
【図４】  ジッパ−付き加熱収縮チュ−ブの一例を示す一部切欠概略斜視図
【図５】  発明の実施の一例を示す一部切欠斜視図
【図６】  加熱収縮チュ−ブの一例を示す一部切欠概略斜視図
【符号の説明】
１  下水道管渠
１’  新規な下水道管渠
２  損傷箇所
３  補修用パッチシ−ト
４  ホットメルト層
５  加熱融着性防水テ−プ
６  ジッパ−付き加熱収縮チュ−ブ
７  ジッパ−
８  当接部
９  幅の狭い加熱収縮チュ−ブ
９’  幅の広い加熱収縮チュ−ブ
１０  ビニル粘着テ−プ
ａ  外層
ｂ  内層
【図１】
0003737087.tif 000002
【図２】
0003737087.tif 000003
【図３】
0003737087.tif 000004
【図４】
0003737087.tif 000005
【図５】
0003737087.tif 000006
【図６】
0003737087.tif 000007